(57)【要約】【課題】無線基地局ｅＮＢは、上りリンク（又は、下りリンク）のみにおいて「ＵＥ  ｃａｔｅｇｏｒｙ  ７ａ-７ｃ」が通知された場合であっても、「ＵＥ  ｃａｔｅｇｏｒｙ  ７ａ-７ｃ」が通知されていない下りリンク（又は、上りリンク）における移動局ＵＥに対する通信制御を適切に行う。【解決手段】本発明に係る移動局ＵＥにおいて、送信部１２は、上りリンクにおいて「Ｒｅｌｅａｓｅ-１２用のＵＥ  ｃａｔｅｇｏｒｙ」に対応していない場合に、上りリンクに対する「Ｒｅｌｅａｓｅ-１２用のＵＥ  ｃａｔｅｇｏｒｙ」を通知しないように構成されており、送信部１２は、下りリンクにおいて「Ｒｅｌｅａｓｅ-１２用のＵＥ  ｃａｔｅｇｏｒｙ」に対応していない場合に、下りリンクに対する「Ｒｅｌｅａｓｅ-１２用のＵＥ  ｃａｔｅｇｏｒｙ」を通知しないように構成されている。【選択図】図３
2018186568.tif 000002
【特許請求の範囲】
【請求項１】
移動局であって、
無線アクセスネットワークに対して、前記移動局におけるピークスループットを規定するＵＥカテゴリを通知するように構成されている送信部を具備しており、
前記ＵＥカテゴリは、ＵＥ-ＥＵＴＲＡ-Ｃａｐａｂｉｌｉｔｙに含まれ、
前記送信部は、ＬＴＥ方式の第１世代で規定されている第１世代用のＵＥカテゴリに加えて、ＬＴＥ方式の第３世代で規定されている第３世代用のＵＥカテゴリを上りリンク及び下りリンクのいずれか１つを通知することができるように構成されており、
前記第１世代はＬＴＥ方式のリリース８であり、ＬＴＥ方式の第２世代はＬＴＥ方式のリリース１０であり、前記第３世代はＬＴＥ方式のリリース１２であること
を特徴とする移動局。
【請求項２】
前記送信部は、当該移動局が前記第２世代で規定されている第２世代用のＵＥカテゴリに対応していない場合に、該第２世代用のＵＥカテゴリを通知しないように構成されている
ことを特徴とする請求項１に記載の移動局。
【請求項３】
無線基地局であって、
移動局から、該移動局におけるピークスループットを規定するＵＥカテゴリを受信するように構成されている受信部と、
前記ＵＥカテゴリに基づいて、前記移動局に対する通信制御を行うように構成されている制御部とを具備しており、
前記ＵＥカテゴリは、ＵＥ-ＥＵＴＲＡ-Ｃａｐａｂｉｌｉｔｙに含まれ、
前記制御部は、前記受信部が受信したＵＥカテゴリに、下りリンクに対する、ＬＴＥ方式の第３世代で規定されている第３世代用のＵＥカテゴリが含まれており、上りリンクに対する、前記第３世代用のＵＥカテゴリが含まれていない場合、ＬＴＥ方式の第１世代で規定されている第１世代用のＵＥカテゴリ又はＬＴＥ方式の第２世代で規定されている第２世代用のＵＥカテゴリに基づいて、上りリンクにおける前記移動局に対する通信制御を行うように構成されており、
前記制御部は、前記受信部が受信したＵＥカテゴリに、上りリンクに対する、前記第３世代用のＵＥカテゴリが含まれており、下りリンクに対する、前記第３世代用のＵＥカテゴリが含まれていない場合、前記第１世代用のＵＥカテゴリ又は前記第２世代用のＵＥカテゴリに基づいて、下りリンクにおける前記移動局に対する通信制御を行うように構成されており、
前記第１世代はＬＴＥ方式のリリース８であり、前記第２世代はＬＴＥ方式のリリース１０であり、前記第３世代はＬＴＥ方式のリリース１２であること
を特徴とする無線基地局。
【請求項４】
前記制御部は、前記受信部が受信したＵＥカテゴリに、前記第２世代用のＵＥカテゴリ及び上りリンクに対する前記第３世代用のＵＥカテゴリが含まれていない場合、前記第１世代用のＵＥカテゴリに基づいて、上りリンクにおける前記移動局に対する通信制御を行うように構成されており、
前記制御部は、前記受信部が受信したＵＥカテゴリに、前記第２世代用のＵＥカテゴリ及び下りリンクに対する前記第３世代用のＵＥカテゴリが含まれていない場合、前記第１世代用のＵＥカテゴリに基づいて、下りリンクにおける前記移動局に対する通信制御を行うように構成されていること
を特徴とする請求項３に記載の無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥにおいて１ＴＴＩ（Ｔｒａｎｓｍｉｓｓｉｏｎ  Ｔｉｍｅ  Ｉｎｔｅｒｖａｌ）当たりに処理可能なビット数（すなわち、移動局ＵＥにおけるピークスループット）は、「ＵＥ  ｃａｔｅｇｏｒｙ」ごとに規定されている。
【０００３】
現在、ＬＴＥ方式の仕様策定会議において、図６及び図７に示すように、移動局ＵＥにおけるピークスループットを規定する「ＵＥ  ｃａｔｅｇｏｒｙ」を上りリンク及び下りリンクごとに別々に通知することが提案されている（非特許文献１参照）。
【０００４】
また、既存のＬＴＥ方式では、図８に示すように、移動局ＵＥは、自身が対応している「ＵＥ  ｃａｔｅｇｏｒｙ」として、ＬＴＥ方式のＲｅｌｅａｓｅ-８で規定されている「ＵＥ  ｃａｔｅｇｏｒｙ  １-５」について必ず通知するように構成されている。
【０００５】
一方、既存のＬＴＥ方式では、図８に示すように、移動局ＵＥは、自身が対応している「ＵＥ  ｃａｔｅｇｏｒｙ」として、ＬＴＥ方式のＲｅｌｅａｓｅ-１０で規定されている「ＵＥ  ｃａｔｅｇｏｒｙ  ６-８」については、かかる「ＵＥ  ｃａｔｅｇｏｒｙ  ６-８」の何れかに対応している場合にのみ通知するように構成されている。
【０００６】
すなわち、既存のＬＴＥ方式では、移動局ＵＥは、「ＵＥ  ｃａｔｅｇｏｒｙ  ６/７」に対応している場合には、「ＵＥ  ｃａｔｅｇｏｒｙ  ６/７」に加えて「ＵＥ  ｃａｔｅｇｏｒｙ  ４」を通知し、「ＵＥ  ｃａｔｅｇｏｒｙ  ８」に対応している場合には、「ＵＥ  ｃａｔｅｇｏｒｙ  ８」に加えて「ＵＥ  ｃａｔｅｇｏｒｙ  ５」を通知するように規定されている。
【先行技術文献】
【非特許文献】
【０００７】
【非特許文献１】３ＧＰＰ寄書ＲＰ-１３１１６２
【非特許文献２】３ＧＰＰ  ＴＳ３６.３０６
【発明の概要】
【発明が解決しようとする課題】
【０００８】
既存のＬＴＥ方式において、無線基地局ｅＮＢは、上りリンク及び下りリンクごとに別々に、ＬＴＥ方式のＲｅｌｅａｓｅ-１２で規定されている「ＵＥ  ｃａｔｅｇｏｒｙ  ７ａ-７ｃ」が通知された場合には、上りリンク及び下りリンクにおいて、かかる「ＵＥ  ｃａｔｅｇｏｒｙ  ７ａ-７ｃ」に基づいて、移動局ＵＥに対する通信制御を行えばよいと解する。
【０００９】
例えば、無線基地局ｅＮＢは、上りリンクに対する「ＵＥ  ｃａｔｅｇｏｒｙ」として「ＵＥ  ｃａｔｅｇｏｒｙ  ７ａ」が通知され、下りリンクに対する「ＵＥ  ｃａｔｅｇｏｒｙ」として「ＵＥ  ｃａｔｅｇｏｒｙ  ７ｃ」が通知された場合には、「ＵＥ  ｃａｔｅｇｏｒｙ  ７ａ」に基づいて、上りリンクにおける移動局ＵＥに対する通信制御を行い、「ＵＥ  ｃａｔｅｇｏｒｙ  ７ｃ」に基づいて、下りリンクにおける移動局ＵＥに対する通信制御を行えばよいと解する。
【００１０】
しかしながら、既存のＬＴＥ方式では、無線基地局ｅＮＢは、上りリンク（又は、下りリンク）のみにおいて「ＵＥ  ｃａｔｅｇｏｒｙ  ７ａ-７ｃ」が通知された場合には、「ＵＥ  ｃａｔｅｇｏｒｙ  ７ａ-７ｃ」が通知されていない下りリンク（又は、上りリンク）における移動局ＵＥに対する通信制御をどのように行うべきかについて判断することができないという問題点があった。
【００１１】
そこで、本発明は、上述の課題に鑑みてなされたものであり、無線基地局ｅＮＢは、上りリンク（又は、下りリンク）のみにおいて「ＵＥ  ｃａｔｅｇｏｒｙ  ７ａ-７ｃ」が通知された場合であっても、「ＵＥ  ｃａｔｅｇｏｒｙ  ７ａ-７ｃ」が通知されていない下りリンク（又は、上りリンク）における移動局ＵＥに対する通信制御を適切に行うことができる移動局及び無線基地局を提供することを目的とする。
【課題を解決するための手段】
【００１２】
本発明の第１の特徴は、移動局であって、無線アクセスネットワークに対して、前記移動局におけるピークスループットを規定するＵＥカテゴリを通知するように構成されている送信部を具備しており、前記送信部は、ＬＴＥ方式の第１世代で規定されている第１世代用のＵＥカテゴリ及び第２世代で規定されている第２世代用のＵＥカテゴリに加えて、ＬＴＥ方式の第３世代で規定されている第３世代用のＵＥカテゴリを上りリンク及び下りリンクごとに別々に通知することができるように構成されており、前記送信部は、上りリンクにおいて前記第３世代用のＵＥカテゴリに対応していない場合に、上りリンクに対する該第３世代用のＵＥカテゴリを通知しないように構成されており、前記送信部は、下りリンクにおいて前記第３世代用のＵＥカテゴリに対応していない場合に、下りリンクに対する該第３世代用のＵＥカテゴリを通知しないように構成されていることを要旨とする。
【００１３】
本発明の第２の特徴は、無線基地局であって、前記移動局から、該移動局におけるピークスループットを規定するＵＥカテゴリを受信するように構成されている受信部と、前記ＵＥカテゴリに基づいて、前記移動局に対する通信制御を行うように構成されている制御部とを具備しており、前記受信部は、ＬＴＥ方式の第１世代で規定されている第１世代用のＵＥカテゴリ及び第２世代で規定されている第２世代用のＵＥカテゴリに加えて、ＬＴＥ方式の第３世代で規定されている第３世代用のＵＥカテゴリを上りリンク及び下りリンクごとに別々に受信することができるように構成されており、前記制御部は、上りリンクに対する前記第３世代用のＵＥカテゴリが受信されなかった場合、前記第１世代用のＵＥカテゴリ又は前記第２世代用のＵＥカテゴリに基づいて、上りリンクにおける前記移動局に対する通信制御を行うように構成されており、前記制御部は、下りリンクに対する前記第３世代用のＵＥカテゴリが受信されなかった場合、前記第１世代用のＵＥカテゴリ又は前記第２世代用のＵＥカテゴリに基づいて、下りリンクにおける前記移動局に対する通信制御を行うように構成されていることを要旨とする。
【発明の効果】
【００１４】
以上説明したように、本発明によれば、無線基地局ｅＮＢは、上りリンク（又は、下りリンク）のみにおいて「ＵＥ  ｃａｔｅｇｏｒｙ  ７ａ-７ｃ」が通知された場合であっても、「ＵＥ  ｃａｔｅｇｏｒｙ  ７ａ-７ｃ」が通知されていない下りリンク（又は、上りリンク）における移動局ＵＥに対する通信制御を適切に行うことができる移動局及び無線基地局を提供することができる。
【図面の簡単な説明】
【００１５】
【図１】本発明の第１の実施形態に係る移動通信システムの全体構成図である。
【図２】本発明の第１の実施形態に係る移動局ＵＥの機能ブロック図である。
【図３】本発明の第１の実施形態に係る移動局ＵＥによって送信される「ＵＥ-ＥＵＴＲＡ-Ｃａｐａｂｉｌｉｔｙ」のフォーマットの一例を示す図である。
【図４】本発明の第１の実施形態に係る無線基地局ｅＮＢの機能ブロック図である。
【図５】本発明の第１の実施形態に係る移動通信システムの動作を示すシーケンス図である。
【図６】従来技術を説明するための図である。
【図７】従来技術を説明するための図である。
【図８】従来技術を説明するための図である。
【発明を実施するための形態】
【００１６】
（本発明の第１の実施形態に係る移動通信システム）
図１乃至図５を参照して、本発明の第１の実施形態に係る移動通信システムについて説明する。
【００１７】
図１に示すように、本実施形態に係る移動通信システムは、ＬＴＥ方式のＲｅｌｅａｓｅ-１２に対応している移動通信システムであって、無線基地局ｅＮＢと、移動局ＵＥとを具備している。
【００１８】
図２に示すように、本実施形態に係る移動局ＵＥは、管理部１１と、送信部１２とを具備している。
【００１９】
管理部１１は、移動局ＵＥが対応している「ＵＥ  ｃａｔｅｇｏｒｙ」を管理するように構成されている。
【００２０】
送信部１２は、無線アクセスネットワーク（すなわち、無線基地局ｅＮＢ）に対して、各種信号、例えば、移動局ＵＥが対応している「ＵＥ  ｃａｔｅｇｏｒｙ」を示す「ＵＥ-ＥＵＴＲＡ-Ｃａｐａｂｉｌｉｔｙ」を送信するように構成されている。
【００２１】
例えば、図３に示すように、送信部１２は、「ＵＥ-ＥＵＴＲＡ-Ｃａｐａｂｉｌｉｔｙ」内の情報要素「ｕｅ-Ｃａｔｅｇｏｒｙ」によって、移動局ＵＥが対応している「Ｒｅｌｅａｓｅ-８用のＵＥ  ｃａｔｅｇｏｒｙ  １-５」を通知し、「ＵＥ-ＥＵＴＲＡ-Ｃａｐａｂｉｌｉｔｙ」内の情報要素「ｕｅ-Ｃａｔｅｇｏｒｙ-ｖ１０２０」によって、移動局ＵＥが対応している「Ｒｅｌｅａｓｅ-１０用のＵＥ  ｃａｔｅｇｏｒｙ  ６-８」を通知することができるように構成されている。
【００２２】
なお、送信部１２は、「ＵＥ-ＥＵＴＲＡ-Ｃａｐａｂｉｌｉｔｙ」内の情報要素「ｕｅ-Ｃａｔｅｇｏｒｙ」によって、移動局ＵＥが対応している「Ｒｅｌｅａｓｅ-８用のＵＥ  ｃａｔｅｇｏｒｙ  １-５」について必ず通知するように構成されている。
【００２３】
一方、送信部１２は、移動局ＵＥが、「Ｒｅｌｅａｓｅ-１０用のＵＥ  ｃａｔｅｇｏｒｙ  ６-８」の何れかに対応している場合にのみ、「ＵＥ-ＥＵＴＲＡ-Ｃａｐａｂｉｌｉｔｙ」内の情報要素「ｕｅ-Ｃａｔｅｇｏｒｙ-ｖ１０２０」によって、移動局ＵＥが対応している「Ｒｅｌｅａｓｅ-１０用のＵＥ  ｃａｔｅｇｏｒｙ  ６-８」を通知するように構成されている。
【００２４】
すなわち、送信部１２は、移動局ＵＥが、「Ｒｅｌｅａｓｅ-１０用のＵＥ  ｃａｔｅｇｏｒｙ」に対応していない場合に、「Ｒｅｌｅａｓｅ-１０用のＵＥ  ｃａｔｅｇｏｒｙ」を通知しないように構成されていてもよい。
【００２５】
また、送信部１２は、「ＵＥ-ＥＵＴＲＡ-Ｃａｐａｂｉｌｉｔｙ」内の情報要素「ｄｌ-ｕｅ-Ｃａｔｅｇｏｒｙ-ｖ１２ｘｙ」によって、下りリンクにおける移動局ＵＥが対応している「Ｒｅｌｅａｓｅ-１２用のＵＥ  ｃａｔｅｇｏｒｙ（例えば、「ＵＥ  ｃａｔｅｇｏｒｙ  ９-１２」）」を通知し、「ＵＥ-ＥＵＴＲＡ-Ｃａｐａｂｉｌｉｔｙ」内の情報要素「ｕｌ-ｕｅ-Ｃａｔｅｇｏｒｙ-ｖ１２ｘｙ」によって、上りリンクにおける移動局ＵＥが対応している「Ｒｅｌｅａｓｅ-１２用のＵＥ  ｃａｔｅｇｏｒｙ（例えば、「ＵＥ  ｃａｔｅｇｏｒｙ  ９-１２」）」を通知することができるように構成されている。
【００２６】
なお、送信部１２は、移動局ＵＥが、上りリンク或いは下りリンクにおいて「Ｒｅｌｅａｓｅ-１２用のＵＥ  ｃａｔｅｇｏｒｙ」の何れかに対応している場合にのみ、「ＵＥ-ＥＵＴＲＡ-Ｃａｐａｂｉｌｉｔｙ」内の情報要素「ｕｅ-Ｃａｔｅｇｏｒｙ-ｖ１０２０」又は「ｄｌ-ｕｅ-Ｃａｔｅｇｏｒｙ-ｖ１２ｘｙ」によって、移動局ＵＥが対応している「Ｒｅｌｅａｓｅ-１２用のＵＥ  ｃａｔｅｇｏｒｙ」を通知するように構成されている。
【００２７】
すなわち、送信部１２は、上りリンクにおいて「Ｒｅｌｅａｓｅ-１２用のＵＥ  ｃａｔｅｇｏｒｙ」に対応していない場合には、上りリンクに対する「Ｒｅｌｅａｓｅ-１２用のＵＥ  ｃａｔｅｇｏｒｙ」を通知しないように構成されており、下りリンクにおいて「Ｒｅｌｅａｓｅ-１２用のＵＥ  ｃａｔｅｇｏｒｙ」に対応していない場合には、下りリンクに対する「Ｒｅｌｅａｓｅ-１２用のＵＥ  ｃａｔｅｇｏｒｙ」を通知しないように構成されている。
【００２８】
図４に示すように、本実施形態に係る無線基地局ｅＮＢは、受信部２１と、制御部２２とを具備している。
【００２９】
受信部２１は、移動局ＵＥから、各種信号、例えば、移動局ＵＥが対応している「ＵＥ  ｃａｔｅｇｏｒｙ」を示す「ＵＥ-ＥＵＴＲＡ-Ｃａｐａｂｉｌｉｔｙ」を受信するように構成されている。
【００３０】
制御部２２は、かかる「ＵＥ  ｃａｔｅｇｏｒｙ」に基づいて、移動局ＵＥに対する通信制御（例えば、スケジューリング制御）を行うように構成されている。
【００３１】
ここで、制御部２２は、上りリンクに対する「Ｒｅｌｅａｓｅ-１２用のＵＥ  ｃａｔｅｇｏｒｙ（例えば、「ＵＥ  ｃａｔｅｇｏｒｙ  ９-１２」）」が受信されなかった場合、「Ｒｅｌｅａｓｅ-８用のＵＥ  ｃａｔｅｇｏｒｙ  １-５」又は「Ｒｅｌｅａｓｅ-１０用のＵＥ  ｃａｔｅｇｏｒｙ  ６-８」に基づいて、上りリンクにおける移動局ＵＥに対する通信制御を行うように構成されており、下りリンクに対する「Ｒｅｌｅａｓｅ-１２用のＵＥ  ｃａｔｅｇｏｒｙ（例えば、「ＵＥ  ｃａｔｅｇｏｒｙ  ９-１２」）」が受信されなかった場合、「Ｒｅｌｅａｓｅ-８用のＵＥ  ｃａｔｅｇｏｒｙ  １-５」又は「Ｒｅｌｅａｓｅ-１０用のＵＥ  ｃａｔｅｇｏｒｙ  ６-８」に基づいて、下りリンクにおける移動局ＵＥに対する通信制御を行うように構成されている。
【００３２】
なお、制御部２２は、「Ｒｅｌｅａｓｅ-１０用のＵＥ  ｃａｔｅｇｏｒｙ  ６-８」及び上りリンクに対する「Ｒｅｌｅａｓｅ-１２用のＵＥ  ｃａｔｅｇｏｒｙ（例えば、「ＵＥ  ｃａｔｅｇｏｒｙ  ９-１２」）」が受信されなかった場合、「Ｒｅｌｅａｓｅ-８用のＵＥ  ｃａｔｅｇｏｒｙ  １-５」に基づいて、上りリンクにおける移動局ＵＥに対する通信制御を行うように構成されていてもよい
また、制御部２２は、「Ｒｅｌｅａｓｅ-１０用のＵＥ  ｃａｔｅｇｏｒｙ  ６-８」及び下りリンクに対する「Ｒｅｌｅａｓｅ-１２用のＵＥ  ｃａｔｅｇｏｒｙ（例えば、「ＵＥ  ｃａｔｅｇｏｒｙ  ９-１２」）」が受信されなかった場合、「Ｒｅｌｅａｓｅ-８用のＵＥ  ｃａｔｅｇｏｒｙ  １-５」に基づいて、下りリンクにおける移動局ＵＥに対する通信制御を行うように構成されていてもよい。
【００３３】
例えば、制御部２２は、下りリンクに対する「Ｒｅｌｅａｓｅ-１２用のＵＥ  ｃａｔｅｇｏｒｙ（例えば、「ＵＥ  ｃａｔｅｇｏｒｙ  １０」）」が受信され、上りリンクに対する「Ｒｅｌｅａｓｅ-１２用のＵＥ  ｃａｔｅｇｏｒｙ（例えば、「ＵＥ  ｃａｔｅｇｏｒｙ  ９-１２」）」が受信されず、「Ｒｅｌｅａｓｅ-１０用のＵＥ  ｃａｔｅｇｏｒｙ  ６」が受信された場合には、「ＵＥ  ｃａｔｅｇｏｒｙ  １０」に基づいて、下りリンクにおける移動局ＵＥに対する通信制御を行い、「ＵＥ  ｃａｔｅｇｏｒｙ  ６」に基づいて、上りリンクにおける移動局ＵＥに対する通信制御を行うように構成されている。
【００３４】
以下、図５を参照して、本実施形態に係る移動通信システムの動作について説明する。
【００３５】
図５に示すように、ステップＳ１００１において、移動局ＵＥは、無線基地局ｅＮＢに対して、自身が対応する「ＵＥ  ｃａｔｅｇｏｒｙ」を含む「ＵＥ-ＥＵＴＲＡ-Ｃａｐａｂｉｌｉｔｙ」を送信する。
【００３６】
ステップＳ１００２において、無線基地局ｅＮＢは、受信した「ＵＥ-ＥＵＴＲＡ-Ｃａｐａｂｉｌｉｔｙ」に含まれる情報要素「ｕｅ-Ｃａｔｅｇｏｒｙ」、「ｕｅ-Ｃａｔｅｇｏｒｙ-ｖ１０２０」、「ｄｌ-ｕｅ-Ｃａｔｅｇｏｒｙ-ｖ１２ｘｙ」及び「ｕｌ-ｕｅ-Ｃａｔｅｇｏｒｙ-ｖ１２ｘｙ」に基づいて、移動局ＵＥに対する通信制御を行う。
【００３７】
以上に述べた本実施形態の特徴は、以下のように表現されていてもよい。
【００３８】
本実施形態の第１の特徴は、移動局ＵＥであって、無線基地局ｅＮＢ（無線アクセスネットワーク）に対して、移動局ＵＥにおけるピークスループットを規定する「ＵＥ  ｃａｔｅｇｏｒｙ（ＵＥカテゴリ）」を通知するように構成されている送信部１２を具備しており、送信部１２は、ＬＴＥ方式のＲｅｌｅａｓｅ-８（ＬＴＥ方式の第１世代）で規定されている「Ｒｅｌｅａｓｅ-８用のＵＥ  ｃａｔｅｇｏｒｙ（第１世代用のＵＥカテゴリ）」及び「Ｒｅｌｅａｓｅ-１０用のＵＥ  ｃａｔｅｇｏｒｙ（第２世代用のＵＥカテゴリ）」に加えて、「Ｒｅｌｅａｓｅ-１２用のＵＥ  ｃａｔｅｇｏｒｙ（第３世代用のＵＥカテゴリ）」を上りリンク及び下りリンクごとに別々に通知することができるように構成されており、送信部１２は、上りリンクにおいて「Ｒｅｌｅａｓｅ-１２用のＵＥ  ｃａｔｅｇｏｒｙ」に対応していない場合に、上りリンクに対する「Ｒｅｌｅａｓｅ-１２用のＵＥ  ｃａｔｅｇｏｒｙ」を通知しないように構成されており、送信部１２は、下りリンクにおいて「Ｒｅｌｅａｓｅ-１２用のＵＥ  ｃａｔｅｇｏｒｙ」に対応していない場合に、下りリンクに対する「Ｒｅｌｅａｓｅ-１２用のＵＥ  ｃａｔｅｇｏｒｙ」を通知しないように構成されていることを要旨とする。
【００３９】
かかる構成によれば、無線基地局ｅＮＢは、上りリンク（又は、下りリンク）のみにおいて「ＵＥ  ｃａｔｅｇｏｒｙ  ９-１２」が通知された場合であっても、「ＵＥ  ｃａｔｅｇｏｒｙ  ９-１２」が通知されていない下りリンク（又は、上りリンク）における移動局ＵＥに対する通信制御を適切に行うことができる。
【００４０】
本実施形態の第１の特徴において、送信部１２は、「Ｒｅｌｅａｓｅ-１０用のＵＥ  ｃａｔｅｇｏｒｙ」に対応していない場合に、「Ｒｅｌｅａｓｅ-１０用のＵＥ  ｃａｔｅｇｏｒｙ」を通知しないように構成されていてもよい。
【００４１】
かかる構成によれば、既存のＬＴＥ方式との整合性を保ちつつ、無線基地局ｅＮＢは、上りリンク（又は、下りリンク）のみにおいて「ＵＥ  ｃａｔｅｇｏｒｙ  ９-１２」が通知された場合であっても、「ＵＥ  ｃａｔｅｇｏｒｙ  ９-１２」が通知されていない下りリンク（又は、上りリンク）における移動局ＵＥに対する通信制御を適切に行うことができる。
【００４２】
本実施形態の第２の特徴は、無線基地局ｅＮＢであって、移動局ＵＥから、かかる移動局ＵＥにおけるピークスループットを規定する「ＵＥ  ｃａｔｅｇｏｒｙ」を受信するように構成されている受信部２１と、かかる「ＵＥ  ｃａｔｅｇｏｒｙ」に基づいて、移動局ＵＥに対する通信制御を行うように構成されている制御部２２とを具備しており、受信部２１は、「Ｒｅｌｅａｓｅ-８用のＵＥ  ｃａｔｅｇｏｒｙ」及び「Ｒｅｌｅａｓｅ-１０用のＵＥ  ｃａｔｅｇｏｒｙ」に加えて、「Ｒｅｌｅａｓｅ-１２用のＵＥ  ｃａｔｅｇｏｒｙ」を上りリンク及び下りリンクごとに別々に受信することができるように構成されており、制御部２２は、上りリンクに対する「Ｒｅｌｅａｓｅ-１２用のＵＥ  ｃａｔｅｇｏｒｙ」が受信されなかった場合、「Ｒｅｌｅａｓｅ-８用のＵＥ  ｃａｔｅｇｏｒｙ」又は「Ｒｅｌｅａｓｅ-１０用のＵＥ  ｃａｔｅｇｏｒｙ」に基づいて、上りリンクにおける移動局ＵＥに対する通信制御を行うように構成されており、制御部２２は、下りリンクに対する「Ｒｅｌｅａｓｅ-１２用のＵＥ  ｃａｔｅｇｏｒｙ」が受信されなかった場合、「Ｒｅｌｅａｓｅ-８用のＵＥ  ｃａｔｅｇｏｒｙ」又は「Ｒｅｌｅａｓｅ-１０用のＵＥ  ｃａｔｅｇｏｒｙ」に基づいて、下りリンクにおける移動局ＵＥに対する通信制御を行うように構成されていることを要旨とする。
【００４３】
かかる構成によれば、無線基地局ｅＮＢは、上りリンク（又は、下りリンク）のみにおいて「ＵＥ  ｃａｔｅｇｏｒｙ  ９-１２」が通知された場合であっても、「ＵＥ  ｃａｔｅｇｏｒｙ  ９-１２」が通知されていない下りリンク（又は、上りリンク）における移動局ＵＥに対する通信制御を適切に行うことができる。
【００４４】
本実施形態の第２の特徴において、制御部２２は、「Ｒｅｌｅａｓｅ-１０用のＵＥ  ｃａｔｅｇｏｒｙ」及び上りリンクに対する「Ｒｅｌｅａｓｅ-１２用のＵＥ  ｃａｔｅｇｏｒｙ」が受信されなかった場合、「Ｒｅｌｅａｓｅ-８用のＵＥ  ｃａｔｅｇｏｒｙ」に基づいて、上りリンクにおける移動局ＵＥに対する通信制御を行うように構成されており、制御部２２は、「Ｒｅｌｅａｓｅ-１０用のＵＥ  ｃａｔｅｇｏｒｙ」及び下りリンクに対する「Ｒｅｌｅａｓｅ-１２用のＵＥ  ｃａｔｅｇｏｒｙ」が受信されなかった場合、「Ｒｅｌｅａｓｅ-８用のＵＥ  ｃａｔｅｇｏｒｙ」に基づいて、下りリンクにおける移動局ＵＥに対する通信制御を行うように構成されていてもよい。
【００４５】
かかる構成によれば、既存のＬＴＥ方式との整合性を保ちつつ、無線基地局ｅＮＢは、上りリンク（又は、下りリンク）のみにおいて「ＵＥ  ｃａｔｅｇｏｒｙ  ９-１２」が通知された場合であっても、「ＵＥ  ｃａｔｅｇｏｒｙ  ９-１２」が通知されていない下りリンク（又は、上りリンク）における移動局ＵＥに対する通信制御を適切に行うことができる。
【００４６】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５０】
ｅＮＢ…無線基地局
ＵＥ…移動局
１１…管理部
１２…送信部
２１…受信部
２２…制御部
【図１】
2018186568.tif 000003
【図２】
2018186568.tif 000004
【図３】
2018186568.tif 000005
【図４】
2018186568.tif 000006
【図５】
2018186568.tif 000007
【図６】
2018186568.tif 000008
【図７】
2018186568.tif 000009
【図８】
2018186568.tif 000010